(57)【要約】【課題】携帯時等にカードケースのケース本体から収納したカードが、ケースカバーとともに自然に抜けてケース本体から抜け落ちることのないようにすることにある。【解決手段】カード収納用のケース本体２と、このケース本体２に出し入れできるカバーケース３とからなり、カバーケース３の上部又は／及び下部には上方又は／及び下方に突出する凸片部２１を設け、ケース本体２からの出し入れ時にカバーケース３の凸片部２１の通過するケース本体２の上部又は／及び下部に、上記凸片部２１が離脱できかつ係止できる係止部２２を設けた。【選択図】  図１
2004291586.tif 000002
【特許請求の範囲】
【請求項１】
カード収納用のケース本体と、このケース本体の開口部からケース本体内に押し込み収納できかつケース本体内から引き出すことができるカバーケースとからなり、このカバーケースの上部又は／及び下部には上方又は／及び下方に突出する凸片部を設け、ケース本体からの出し入れ時に上記カバーケースの凸片部の通過するケース本体の上部又は／及び下部に、上記凸片部が離脱できかつ係止できる係止部を設けたことを特徴とするカードケース。
【請求項２】
カバーケースの凸片部は、ケース本体側になだらかで反対側に急な傾斜角度の山形状である請求項１記載のカードケース。
【請求項３】
カバーケースのケース本体側にＴ状係止片部を設け、このＴ状係止片部の先端Ｔ部を挿入できる長穴を有する係合片部をケース本体に設け、ケース本体からのカバーケースの引き出し時に、上記先端Ｔ部が係合片部の長穴の前端に係止して、カバーケースがケース本体から離脱することのないようにした構成からなる請求項１または２記載のカードケース。
【請求項４】
カバーケースは、透明樹脂シート材または赤色透明樹脂シート材で形成されている請求項１、２、または３記載のカードケース。
【発明の詳細な説明】
【０００１】
【産業上の利用分野】
本発明は種々のカードを収納し必要に応じて出し入れするカードケースに関し、特に小学生等の学習用のカードを収納して、任意に所望のカードをカバーケースとともに出し入れできるカードケースに関するものである。
【０００２】
【従来の技術】
従来のカードケースとしては、下記のような特許文献に開示のもの等がある。
【０００３】
【特許文献１】特開２００２−４６７９１
【特許文献２】特開平１１−３２８２３
【０００４】
また、例えばクイズを書いた多数のカードと、それぞれの答えを書いた多数のカードとを交互に並べて収納するカードケースとしては、ケース本体と、ケースカバーとからなり、ケース本体の側部の開口部から上記カードとともにケースカバーを出し入れできるようにした構成のものがある。
【０００５】
ところが、このカードケースの場合、ケース本体を開口部側に傾けた時に多数のカードの重みによる押圧により、自然にケースカバーがカードとともに抜け落ちるといった問題があった。
【０００６】
そこで、このような問題を解決するために、ケース本体とケースカバーとを、ボタンや面ファスナー、フック等の留め具によって連結する構造にし、上記のようにカードケースを傾けた時に、ケースカバーがカードとともにケース本体から自然に抜け落ちないようにしている。
【０００７】
【発明が解決しようとする課題】
しかしながら、上記のようにケースカバーの抜け落ち防止のために、上記留め具をケース本体やケースカバーに設けた場合、製造コストが高くなる。
また、カードケースをポケット等に入れた場合、慌ててポケット等から取り出した時に留め具が一緒に入れた他の物に引っ掛かって、ポケットから他の物を引っ掛けて外に落としてしまうといった懸念があった。
さらに、上記留め具を設けたカードケースでは、使用するごとに留め具を操作して外したり留めたりしなければならず甚だ煩わしい。
【０００８】
本発明は上記のような点に鑑みて開発されたものであって、その目的とするところは、ケースカバーをカードとともにスムーズにケース本体に収納することができ、かつケース本体からカードとともにケースカバーを引き出す時にもスムーズに引き出すことができ、なおかつ携帯時等にケース本体からカードが自然に抜け落ちることのないようにしたカードケースを提供することにある。
【０００９】
【課題を解決するための手段】
本発明は上記した目的を有効に達成するために、次のような構成にしてある。すなわち、請求項１に記載の本発明のカードケースは、カード収納用のケース本体と、このケース本体の開口部からケース本体内に押し込み収納できかつケース本体内から引き出すことができるカバーケースとからなり、このカバーケースの上部又は／及び下部には上方又は／及び下方に突出する凸片部を設け、ケース本体からの出し入れ時に上記カバーケースの凸片部の通過するケース本体の上部又は／及び下部に、上記凸片部が離脱できかつ係止できる係止部を設けたことを特徴とする。
【００１０】
この構成により、カバーケースをケース本体内に押し込む時は、一方の手でケース本体を持ち、他方の手でカバーケースを持ってケース本体側に押し込むことにより、カバーケースをケース本体内に容易に収納することができる。
カバーケースをケース本体内に収納した場合、カバーケースの凸片部が、ケース本体の係止部に係止した状態となっているため、ケース本体を開口部側に傾けてもカードとともにカバーケースがケース本体から抜け落ちることがない。
また、カバーケースをケース本体からカードとともに引き抜く場合は、
カバーケースをカードとともに少し強く引き出すことにより、上記凸片部は係止されているケース本体の係止部から離脱してカバーケースをカードとともに簡単に引き出すことができる。勿論、カバーケースのみでも上記と同様にしてケース本体から簡単に引き抜くことができる。
【００１１】
また、請求項２に記載の本発明のカードケースは、請求項１記載のカードケースの構成において、上記カバーケースの凸片部は、ケース本体側になだらかで反対側に急な傾斜角度の山形状である。
【００１２】
この構成により、カバーケースをケース本体内に押し込む時は、凸片部のケース本体側のなだらかな傾斜面が、ケース本体の係止部を円滑に通過して、カバーケースをケース本体内に容易に収納することができる。
このカバーケースをケース本体内に収納した場合、カバーケースの凸片部の急な傾斜角度側が、ケース本体の係止部に係止した状態となっている。そのため、ケース本体を開口部側に傾けてもカードとともにカバーケースがケース本体から抜け落ちることがない。
そしてカバーケースをケース本体からカードとともに引き抜く場合は、
カバーケースを少し強く引き出すことにより、上記凸片部の急な傾斜角度側が、係止していたケース本体の係止部の端を乗り越えて、カードとともに簡単に引き出すことができる。勿論、上記と同様にカバーケースのみでも上記と同様にしてケース本体から簡単に引き抜くことができる。
【００１３】
また、請求項３に記載の本発明のカードケースは、請求項１または２記載のカードケースの構成において、上記カバーケースのケース本体側にＴ状係止片部を設け、このＴ状係止片部の先端Ｔ部を挿入できる長穴を有する係合片部をケース本体に設け、ケース本体からのカバーケースの引き出し時に、上記先端Ｔ部が係合片部の長穴の前端に係止して、カバーケースがケース本体から離脱することのないようにした構成からなる。
【００１４】
この構成により、カバーケースをケース本体から強く引き出した場合でも、ケース本体からカバーケースが外れることもなく、ケース本体に収納してあるカードがケース本体から抜け落ちてしまう心配はない。
【００１５】
また、請求項４に記載の本発明のカードケースは、請求項１、２または３記載のカードケースの構成において、上記カバーケースは、透明樹脂シート材または赤色透明樹脂シート材で形成されている。
【００１６】
この構成により、カバーケースが透明樹脂シート材の場合は、カードがケース本体に収納されている状態でも或いはケース本体からカバーケースとともにカードを引き出した場合にも、カードに記載されている文字や図柄等を外から容易に目視で認識することができる。
また、カバーケースが赤色透明樹脂シート材の場合は、カードがケース本体に収納されている状態でも或いはケース本体からカバーケースとともにカードを引き出した場合にも、カードに赤色で記載されている文字や図柄等は外から目視で認識することができず、カードを被うカバーケースをカードから外さないと上記文字等を認識することができない。
故に例えば計算問題の場合であれば、問題を黒色で記載し、答えを赤色でカードに記載しておけば、答えはカバーケースをカードから外さないと見ることができず、学習効果を高めることができる。
【００１７】
【発明の実施の形態】
以下、本発明の実施の形態を図に基づいて説明する。
図１は本発明に係るカードケースのカバーケースを引き出した状態の説明図であり、図２はケース本体の展開図であり、図３は図２のケース本体の組み立て途中の説明図であり、図４はカバーケースの展開図であり、図５はケース本体にカバーケースを押し込んでいる途中の説明図であり、図６はケース本体にカバーケースを押し込んだ状態の説明図であり、図７は本発明に係るカードケースの要部の断面を示す説明図であり、図８はカバーケースの凸片部がケース本体の係止部を摺動通過中の状態を示す説明図であり、図９はカバーケースの凸片部がケース本体の係止部に係止した状態を示す説明図であり、図１０はカードケースに収納するカードの斜視図である。
【００１８】
図１に示すように１は本発明のカードケースであって、このカードケース１は、カード収納用のケース本体２と、カバーケース３とによって構成されている。上記ケース本体２は、不透明のＰＰ（ポリプロピレン）樹脂シートによって形成されたものであって、複数枚の略矩形状のカード４（図１０参照）を収納できる内部空間を有する厚みの薄い四角形状の箱形で、一側にカード４とカバーケース３を出し入れできる開口部５を設け、表面シート部６にも表側開口部７を設けてある。さらに上記開口部５側の裏面シート部８の中央部には、カバーケース３とともにカード４を引き出し易いように半円状の切欠部９（図２、図６参照）が設けてある。
【００１９】
このケース本体２の内側の上部並びに下部には、ケース本体２に一体に形成された係合シート部１０（図２参照）が設けてある。
【００２０】
この係合シート部１０を詳述すると、各係合シート部１０は、図２の展開したケース本体２のシートを組み立てたときに、ケース本体２の上部を構成する上天片部１１と、ケース本体２の下部を構成する底片部１２と、上天片部１１並びに底片部１２に沿ってそれぞれ形成された係合片部１３と、上天片部１１並びに底片部１２の各一端に形成された折りしろ片部１４とからなる。各係合片部１３には長穴１５が形成してある。
【００２１】
このケース本体２の表側は、表面シート部６と、この表面シート部６の上下端に一体に形成された上記の各係合シート部１０とからなる。
【００２２】
また、ケース本体２の裏側は、裏面シート部８と、この裏面シート部８の上下端に一体に形成された各被い片部１６とからなる。
【００２３】
さらに、表面シート部６と裏面シート部８とは、背面シート部１７によって繋がっている。また、上記の上天片部１１並びに底片部１２の各幅Ｘは、背面シート部１７の幅Ｙと同じである。図２の図中の破線で示すそれぞれの部分は、切り欠き部を示している。また、図２の上記各部の境目の実線で示す部分は折り曲げ部を示している。
【００２４】
図３に示すようにケース本体２は、図２の展開されたケース本体２の各折り曲げ部を折り曲げて組み立てられる。すなわち、係合片部１３は、各折り曲げ部１８ａ、１８ｂより内側方向の表面シート部６側に、上天片部１１並びに底片部１２に対して９０°折り曲げる。この時、上天片部１１と係合片部１３、並びに底片部１２と係合片部１３とのＬ状の切り欠き部１９，２０（図２参照）の箇所では、係合片部１３と上天片部１１、並びに係合片部１３と底片部１２とが分離する。
【００２５】
このことによりカバーケース３の後述する凸片部２１の係止・離脱できる係止部２２が、各係合片部１３に形成されることになる。この各係止部２２は、ケース本体２の開口部５側の入口近傍に位置する。カードケース１が組み立てられて使用した場合、カバーケース３の凸片部２１は、この各係止部２２の僅かの切り込み部分である係止部２２の端部２３に係止し、またこの端部２３から離脱することになる。
【００２６】
上天片部１１並びに底片部１２は、各折り曲げ部２７ａ、２７ｂから表面シート部６側に９０°折り曲げる。
【００２７】
また、各折りしろ片部１４は、折り曲げ部２４から上天片部１１、並び底片部１２方向に９０°折り曲げる。このようにした後に、表面シート部６側を折り曲げ部２５から背面シート部１７に対して内側に９０°折り曲げる。次に裏面シート部８側を折り曲げ部２６から背面シート部１７に対して内側に９０°折り曲げる。この時、上記したように各係合片部１３の裏面１３ａは、裏面シート部８の内面に対峙することになる。
【００２８】
次に裏面シート部８側の各被い片部１６（図２参照）は、各折り曲げ部部２８ａ、２８ｂから上天片部１１並び底片部１２の表面２９ａ、２９ｂ（図３参照）を上から覆うように折り曲げ、上天片部１１並び底片部１２の表面２９ａ、２９ｂに接着剤で接着する。
【００２９】
このようにして組み立てたケース本体２は、正面視で上記したように長方形の薄い箱形で、片側の表面の一部が開口した縦１３ｃｍ、横１０ｃｍ、幅１２ｃｍ位の大きさのものである。
【００３０】
一方、カバーケース３（図４参照）は、透明のＰＥＴ（ポリエチレンテレフタレート）樹脂シートによって形成されたものであって、展開（図４の）状態から折り曲げて形成することにより、上記したケース本体２の開口部５からケース本体２内に略完全に収納することができる大きさである。
【００３１】
すなわち、このカバーケース３は、裏面シート部３０と背面シート部３１と表面シート部３２からなる。裏面シート部３０と表面シート部３２とは、背面シート部３１を介して対峙するように、各折り曲げ部３３ａ、３３ｂから折り曲げられるようにしてある。
【００３２】
裏面シート部３０の背面シート部３１寄りの上端部及び下端部には、図上（図４上）の上方及び下方に突出する凸片部２１が形成されている。この凸片部２１は、背面シート部３１側に急な傾斜角度の急傾斜部３４と、この急傾斜部３４と連続して背面シート部３１側と反対側になだらかな傾斜角度の緩傾斜部３５とからなる山形状である。
【００３３】
また、裏面シート部３０の背面シート部３１側と反対の上下部には、Ｔ状係止片部３６が形成されている。このＴ状係止片部３６の先端Ｔ部３７は、上記したケース本体２の係合片部１３の長穴１５に挿入係合させて、ケース本体２からのカバーケース３の引き出し時に、上記長穴１５の前端に係止してそれ以上、ケース本体２からカバーケース３を引き出せないようにしてある。
【００３４】
上記のカバーケース３の対峙する裏面シート部３０と表面シート部３２との間には、図１０に示すようなカード４が複数枚収納される。このカード１０は、カバーケース３とともに、ケース本体２内に収納し、ケース本体２から引き出したりする。
【００３５】
カード４の表面（表面シート部３２側）には、図、模様、写真、質問、問題または答え等の事項（図示省略）が記載されている。
【００３６】
上記のような構成によって組み立てられたケース本体２にカバーケース３を取り付ける場合は、ケース本体２の裏面シート部８と上下の係合片部１３との間（図７参照）に、カバーケース３の裏面シート部３０を挿入し、各Ｔ状係止片部３６の先端Ｔ部３７を係合片部１３の長穴１５に裏から挿入係止させる。そしてカバーケース３の裏面シート部３０の上に複数のカード４を重ねて置き、表面シート部３２を最上側のカード４の上に被せ、カバーケース３の背面シート部３１を押してカード４とともカバーケース３をケース本体２内に収納する。
【００３７】
この際、カバーケース３の各凸片部２１（図８参照）は、ケース本体２の係止部２２の下面を摺動しながらケース本体２内に移動していく。略完全にカバーケース３がケース本体２内に収納された時（図９参照）、各凸片部２１の急傾斜部３４が、ケース本体２の係止部２２の端に引っ掛かった状態となる。そのため、カードケース１を開口部５側に傾けても、複数のカード４の重さ等によって自然にカード４が、カバーケース３とともにケース本体２から抜け落ちるといったことがない。
【００３８】
また、カード４をケース本体２から引き出す場合は、カバーケース３の表面シート部３２と裏面シート部３０とをカード４とともに指で挟み、少し強くケース本体２から引き出すことによって、カバーケース３の各凸片部２１の急傾斜部３４が、本体ケース２の係止部２２の端から係止部２２に乗り上げ、さらに引くことによりカバーケース３とともにカード４を本体ケース２から引き出すことができる。そして表面シート部３２を開放することによりカード４を必要に応じて取り出したり交換したりすることができる。
【００３９】
なお、図示の例では、カバーケース３の上下部に凸片部２１を形成した例を示したが、上部のみ或いは下部のみに凸片部２１を形成した構成でもよい。また、ケース本体２及びカバーケース３の材質、大きさは、上記例に限定されるものではなく、他の材質に設計変更してもよい。また、上記した図示の例では、カバーケース３は、無色透明であるが、透明な赤色のものや、透明なその他の色のものであってもよい。また、ケース本体２及びカバーケース３は透明または不透明のものであってもよい。カバーケース３を不透明のものである場合は、ケース本体２からカバーケース３をカード４とともに引き出して、カバーケース３の表面シート部３２を開かないとカード４の表面に記載されている文字等を確認できなくなるが、この構成のカードケースも本発明に係るカードケースに含まれる。さらに、カバーケース３の凸片部２１の形状は、図示の例に限らず両側に滑らかな山形状でもよいし、或いは両側に急な傾斜角度の山形状でもよいし、その他に本発明の目的を有効に達成できれば如何なる形状に設計変更するも自由である。
【００４０】
【発明の効果】
上記した説明でも明らかなように本発明のカードケースでは、カバーケースを単独で或いはカードとともにケース本体内に押し込んで収納した場合、カバーケースの凸片部がケース本体の係止部に係止した状態となり、ケース本体を開口部側に傾けてもカードとともにカバーケースがケース本体から抜け落ちることがない。また、カバーケースをケース本体から引き抜く場合は、少し強めの力加減で引くことにより、バーケースの凸片部がケース本体の係止部を容易に離脱して、簡単にカバーケースをケース本体から引き抜くことができる。
【００４１】
また、本発明のカードケースでは、カバーケースの凸片部をケース本体側になだらかで反対側に急な傾斜角度の山形状にしてあるので、カバーケースをケース本体内に押し込む時は、凸片部のケース本体側のなだらかな傾斜面が、ケース本体の係止部を円滑に通過して、カバーケースをケース本体内に容易に収納することができる。また、カバーケースをケース本体内に収納した場合、カバーケースの凸片部の急な傾斜角度側がケース本体の係止部に係止した状態となって、ケース本体を開口部側に傾けてもカードとともにカバーケースがケース本体から抜け落ちることがない。さらに、カバーケースをケース本体からカードとともに引き抜く場合も、カバーケースを少し強く引き出すことにより、凸片部の急な傾斜角度側が、係止部の端を乗り越えて、カバーケースをカードとともに簡単に引き出すことができる。
【００４２】
また、本発明のカードケースでは、カバーケースのケース本体側に、ケース本体の係合片部の長穴に係合されるＴ状係止片部を設けて、カバーケースとケース本体とを繋いであるので、ケース本体からのカバーケースを引き出した場合にも、カバーケースがケース本体からはずれ落ちるといった心配がない。
【００４３】
また、本発明のカードケースでは、カバーケースを透明樹脂シート材または赤色透明樹脂シート材で形成してあるので、透明樹脂シート材の場合は、カードに記載されている文字や図柄等を容易に目視で認識することができる。また、赤色透明樹脂シート材の場合は、黒色等で記した例えば問題等の文字は外から見え、カバーケースを外さない限り赤色で記した答え等の文字は外から見えないので、漢字や英単語等を学習する場合に効果的である。
【図面の簡単な説明】
【図１】本発明に係るカードケースのカバーケースを引き出した状態の説明図である。
【図２】ケース本体の展開図である。
【図３】図２のケース本体の組み立て途中の説明図である。
【図４】カバーケースの展開図である。
【図５】ケース本体にカバーケースを押し込んでいる途中の説明図である。
【図６】ケース本体にカバーケースを押し込んだ状態の説明図である。
【図７】本発明に係るカードケースの要部の断面を示す説明図である。
【図８】カバーケースの凸片部がケース本体の係止部を摺動通過中の状態を示す説明図である。
【図９】カバーケースの凸片部がケース本体の係止部に係止した状態を示す説明図である。
【図１０】カードケースに収納するカードの斜視図である。
【符号の説明】
１      カードケース
２      ケース本体
３      カバーケース
５      開口部
１３    係合片部
１５    長穴
２１    凸片部
２２    係止部
３６    Ｔ状係止片部
３７    先端Ｔ部
【図１】
2004291586.tif 000003
【図２】
2004291586.tif 000004
【図３】
2004291586.tif 000005
【図４】
2004291586.tif 000006
【図５】
2004291586.tif 000007
【図６】
2004291586.tif 000008
【図７】
2004291586.tif 000009
【図８】
2004291586.tif 000010
【図９】
2004291586.tif 000011
【図１０】
2004291586.tif 000012